(57)【特許請求の範囲】
【請求項１】
下側部材の上でゴム状の気密性パッキン材を介在させて上側部材が支持された建築気密構造であって、前記下側部材の上に複数の支持部材を有し、各支持部材はそれぞれ間隔を置いて配置され、前記上側部材は各支持部材により支持され、前記気密性パッキン材は平板部と複数の脚部とを有し、各脚部はそれぞれ並列に配置されて前記平板部に一体的に設けられ、前記支持部材は各脚部の間に嵌合され、前記気密性パッキン材は前記平板部を前記下側部材の上面または前記上側部材の下面に沿わせて前記下側部材と前記上側部材との間に配置されて、前記下側部材および前記上側部材に密着していることを、特徴とする建築気密構造。
【発明の詳細な説明】
【０００１】
【発明の属する技術分野】
本発明は、長期にわたって防振性および防音性を発揮する建築気密構造に関する。
【０００２】
【従来の技術】
従来の建築構造として、本発明者により発明された特許第２７３３５７０号公報に示すものがある。すなわち、１階用柱の上端部と１階用梁との間にゴム体を介在させて１階用柱の上端部のほぞと１階用梁のほぞ穴とを嵌合させ、防振性および防音性を高めるようになっている。
【０００３】
また、従来の建築気密構造として、図６〜図８に示すものがある。すなわち、パネル枠１の上に気密パッキン材２を挟んで横架材３を載せ、気密パッキン材２により気密性をもたせるとともに防振性および防音性をもたせるようになっている。
【０００４】
【発明が解決しようとする課題】
しかしながら、従来の技術では、ゴム体または気密パッキン材に１階用梁および２階部分の重量が載るため、ゴム体または気密パッキン材に長期にわたって許容限度以上の荷重がかかることにより、ゴム体または気密パッキン材の復元力ないし弾性が無くなり、防振性および防音性の効果を失うおそれがあるという課題があった。
【０００５】
本発明は、このような従来の課題に着目してなされたもので、長期にわたって防振性および防音性を発揮できる建築気密構造を提供することを目的としている。
【０００６】
【課題を解決するための手段】
上記目的を達成するために、第１の本発明に関する建築気密構造は、下側部材の上でゴム状の気密性パッキン材を介在させて上側部材が支持された建築気密構造であって、前記下側部材の上面または前記上側部材の下面に複数の支持部と各支持部の間に形成された凹部とを有し、前記上側部材は前記下側部材の上で前記支持部により支持され、前記気密性パッキン材は少なくとも一部が前記凹部に配置されて前記下側部材および前記上側部材に密着していることを、特徴とする。下側部材は、パネル枠、基礎、壁材、その他、上側の建築部材を支持する部材であれば、いかなる部材であってもよい。上側部材は、梁などの横架材、土台、その他、支持されることを必要とするいかなる建築部材であってもよい。
【０００７】
第１の本発明に関する建築気密構造では、下側部材と上側部材との間にゴム状の気密性パッキン材を介在させているため、下側部材と上側部材との間で気密性、防振性および防音性を発揮し、下側部材と上側部材との間を空気や湿気が抜けるのを防止するとともに、上側部材の上の振動や音を下側部材の下に響きにくくすることができる。また、気密性パッキン材は、地震などによる揺れを吸収し、抑える。
【０００８】
上側部材は複数の支持部により支持され、気密性パッキン材は少なくとも一部が凹部に配置されているため、凹部では気密性パッキン材に許容限度以上の荷重がかかるのを防ぐことができる。これにより、ゴム状の気密性パッキン材が復元力ないし弾性を失うのを抑制し、気密性、防振性および防音性を長期にわたって発揮することができる。凹部の深さは、上側部材が複数の支持部により支持されるよう、気密性パッキン材が最大に圧縮可能な厚さより深く設定されている。
【０００９】
気密性パッキン材は少なくとも一部が凹部に配置されているため、上側部材を下側部材の上に載せる際などに、凹部と係合してずれを防止することができる。なお、ゴム状とは、ゴム弾性を有し、復元力を有する性質であり、気密性パッキン材は発泡ゴムのほか、合成樹脂から成ってもよい。
【００１０】
第２の本発明に関する建築気密構造では、第１の本発明に関する建築気密構造において、各支持部は前記下側部材の上面または前記上側部材の下面にその長さ方向に沿って形成された突条から成り、前記凹部は各支持部の間に形成された溝から成ることを、特徴とする。
【００１１】
第２の本発明に関する建築気密構造では、上側部材が突条により支持され、気密性パッキン材の少なくとも一部が溝に配置されるため、溝に沿って連続的に気密性、防振性および防音性を発揮することができる。
【００１２】
第３の本発明に関する建築気密構造では、第１の本発明に関する建築気密構造において、前記凹部は開口部が底部より幅の狭い形状を有し、前記気密性パッキン材は前記凹部の開口部より幅の広い端部を有し、前記端部が前記凹部に嵌合されていることを、特徴とする。
【００１３】
第３の本発明に関する建築気密構造では、気密性パッキン材の端部を凹部に嵌合させることにより、気密性パッキン材を凹部に取り付けることができる。このため、気密性パッキン材を凹部に接着する必要がなく、気密性パッキン材の交換が容易である。
【００１４】
本発明に係る建築気密構造は、下側部材の上でゴム状の気密性パッキン材を介在させて上側部材が支持された建築気密構造であって、前記下側部材の上に複数の支持部材を有し、各支持部材はそれぞれ間隔を置いて配置され、前記上側部材は各支持部材により支持され、前記気密性パッキン材は平板部と複数の脚部とを有し、各脚部はそれぞれ並列に配置されて前記平板部に一体的に設けられ、前記支持部材は各脚部の間に嵌合され、前記気密性パッキン材は前記平板部を前記下側部材の上面または前記上側部材の下面に沿わせて前記下側部材と前記上側部材との間に配置されて、前記下側部材および前記上側部材に密着していることを、特徴とする。下側部材は、パネル枠、基礎、壁材、その他、上側の建築部材を支持する部材であれば、いかなる部材であってもよい。上側部材は、梁などの横架材、土台、その他、支持されることを必要とするいかなる建築部材であってもよい。
【００１５】
本発明に係る建築気密構造では、下側部材と上側部材との間にゴム状の気密性パッキン材を介在させているため、下側部材と上側部材との間で気密性、防振性および防音性を発揮し、下側部材と上側部材との間を空気や湿気が抜けるのを防止するとともに、上側部材の上の振動や音を下側部材の下に響きにくくすることができる。また、気密性パッキン材は、地震などによる揺れを吸収し、抑える。
【００１６】
上側部材は複数の支持部材により支持されているため、気密性パッキン材に許容限度以上の荷重がかかるのを防ぐことができる。これにより、ゴム状の気密性パッキン材が復元力ないし弾性を失うのを抑制し、気密性、防振性および防音性を長期にわたって発揮することができる。なお、気密性パッキン材と支持部材とは、互いに固定されていてもよい。
【００１７】
また、ゴム状とは、ゴム弾性を有し、復元力を有する性質であり、気密性パッキン材は発泡ゴムのほか、合成樹脂から成ってもよい。支持部材は、合成樹脂、硬質ゴム、その他、上側部材を支持可能な硬質の材質から成る。
【００１９】
本発明に係る建築気密構造では、支持部材が脚部の間に嵌合された気密性パッキン材を下側部材の上に配置することにより、下側部材と上側部材との間にゴム状の気密性パッキン材を介在させるとともに、支持部材で気密性パッキン材に許容限度以上の荷重がかかるのを防ぐことができる。なお、平板部および脚部には、下側部材の上面または上側部材の下面に接する面に接着剤が付着されていてもよい。
【００２０】
【発明の実施の形態】
以下、図面に基づき本発明の実施の形態および本発明に関する第１〜第８の実施の形態について説明する。
図１は、本発明に関する第１の実施の形態を示している。
図１に示すように、建築気密構造は、下側部材１１の上でゴム状の気密性パッキン材１２を介在させて上側部材１３が支持されて構成されている。下側部材１１は、パネル枠から成り、内側にパネル材を嵌め込んで建築物の壁面を構成する。上側部材１３は、梁から成り、屋根または２階家屋部分を支持する。
【００２１】
下側部材１１は、上面に２本の支持部１１ａおよび１本の凹部１１ｂを有している。各支持部１１ａは、下側部材１１の上面にその長さ方向に沿って形成された同じ高さの突条から成っている。各支持部１１ａは、下側部材１１の平坦な上面中央に凹部１１ｂを形成することにより形成されている。凹部１１ｂは、各支持部１１ａの間に形成された溝から成っている。上側部材１３は、下側部材１１の上で各支持部１１ａにより支持される。
【００２２】
気密性パッキン材１２は、発泡ゴム等から成ってゴム弾性を有し、復元力を有する。気密性パッキン材１２は、図１（Ａ）に示すように、上側部材１３を載せない状態で支持部１１ａより高く突出するよう全体が凹部１１ｂに配置されている。気密性パッキン材１２は、図１（Ｂ）に示すように、上側部材１３を載せた状態で圧縮され、下側部材１１と上側部材１３とに密着している。凹部１１ｂの深さは、上側部材１３が各支持部１１ａにより支持されるよう、気密性パッキン材１２が最大に圧縮可能な厚さより深く設定されている。
【００２３】
次に、作用について説明する。
図１に示す建築気密構造では、下側部材１１と上側部材１３との間にゴム状の気密性パッキン材１２を介在させているため、下側部材１１と上側部材１３との間で気密性、防振性および防音性を発揮し、下側部材１１と上側部材１３との間を空気や湿気が抜けるのを防止するとともに、上側部材１３の上の振動や音を下側部材１１の下に響きにくくすることができる。また、気密性パッキン材１２は、地震などによる揺れを吸収し、抑える。
【００２４】
特に、建築気密構造では、上側部材１３が突条により支持され、気密性パッキン材１２が溝に配置されるため、溝に沿って連続的に気密性、防振性および防音性を発揮することができる。
【００２５】
上側部材１３は２本の支持部１１ａにより支持されるため、凹部１１ｂでは気密性パッキン材１２に許容限度以上の荷重がかかるのを防ぐことができる。これにより、ゴム状の気密性パッキン材１２が復元力ないし弾性を失うのを抑制し、気密性、防振性および防音性を長期にわたって発揮することができる。気密性パッキン材１２は凹部１１ｂに配置されているため、上側部材１３を下側部材１１の上に載せる際などに、凹部１１ｂと係合してずれを防止することができる。
【００２６】
次に、本発明に関する第２の実施の形態について説明する。
図２は、本発明に関する第２の実施の形態を示している。
図２に示すように、建築気密構造は、下側部材２１の上でゴム状の気密性パッキン材２２を介在させて上側部材２３が支持されて構成されている。下側部材２１は、パネル枠から成り、建築物の壁面を構成する。上側部材２３は、梁から成り、屋根または２階家屋部分を支持する。
【００２７】
下側部材２１は、上面に３本の支持部２１ａおよび２本の凹部２１ｂを有している。各支持部２１ａは、下側部材２１の上面にその長さ方向に沿って形成された同じ高さの突条から成っている。各支持部２１ａは、下側部材２１の平坦な上面中央に２本の凹部２１ｂを平行に形成することにより形成されている。凹部２１ｂは、各支持部２１ａの間に形成された互いに同じ深さの溝から成っている。上側部材２３は、下側部材２１の上で各支持部２１ａにより支持される。
【００２８】
気密性パッキン材２２は、発泡ゴム等から成ってゴム弾性を有し、復元力を有する。気密性パッキン材２２は、図２（Ａ）に示すように、上側部材２３を載せない状態で、３本の支持部２１ａの上に架け渡されて２本の凹部２１ｂを跨ぐよう配置されている。気密性パッキン材２２は、図２（Ｂ）に示すように、上側部材２３を載せた状態で圧縮され、下側部材２１と上側部材２３とに密着している。凹部２１ｂの深さは、上側部材２３が気密性パッキン材２２を挟んで各支持部２１ａにより支持されるよう、気密性パッキン材２２が最大に圧縮可能な厚さより深く設定されている。
【００２９】
次に、作用について説明する。
図２に示す建築気密構造では、上側部材２３は気密性パッキン材２２を挟んで３本の支持部２１ａにより支持され、気密性パッキン材２２の一部は２本の凹部２１ｂに配置されているため、凹部２１ｂでは気密性パッキン材２２に許容限度以上の荷重がかかるのを防ぐことができる。これにより、ゴム状の気密性パッキン材２２が復元力ないし弾性を失うのを抑制し、気密性、防振性および防音性を長期にわたって発揮することができる。図２に示す建築気密構造は、その他、前述の本発明に関する第１の実施の形態の建築気密構造と同様の作用を有する。
【００３０】
次に、本発明に関する第３〜第５の実施の形態について説明する。
図３（Ａ）〜（Ｃ）は、本発明に関する第３〜第５の実施の形態を示している。
本発明に関する第３〜第５の実施の形態の建築気密構造は、前述の本発明に関する第１の実施の形態または本発明に関する第２の実施の形態の建築気密構造と同様の構成を有している。但し、本発明に関する第３〜第５の実施の形態の建築気密構造では、図３（Ａ）〜（Ｃ）に示すように、下側部材３１の凹部３１ｂは開口部３１ｃが底部３１ｄより幅の狭い形状を有している。気密性パッキン材３２は、凹部３１ｂの開口部３１ｃより幅の広い端部３２ａを有し、端部３２ａが凹部３１ｂに嵌合されている。
【００３１】
また、本発明に関する第３の実施の形態の建築気密構造では、図３（Ａ）に示すように、凹部３１ｂの断面形状および気密性パッキン材３２の端部３２ａの断面形状が不定型となっている。気密性パッキン材３２の端部３２ａ以外の部分は、凹部３１ｂの開口部３１ｃの幅とほぼ同じ厚さを有している。
【００３２】
本発明に関する第４の実施の形態の建築気密構造では、図３（Ｂ）に示すように、凹部３１ｂの断面形状および気密性パッキン材３２の端部３２ａの断面形状が等角台形状となっている。気密性パッキン材３２の端部３２ａ以外の部分は、凹部３１ｂの開口部３１ｃの幅より厚くなっている。
【００３３】
本発明に関する第５の実施の形態の建築気密構造では、図３（Ｃ）に示すように、凹部３１ｂの断面形状および気密性パッキン材３２の端部３２ａの断面形状が等角台形状となっている。気密性パッキン材３２の端部３２ａ以外の部分は、凹部３１ｂの開口部３１ｃの幅とほぼ同じ厚さを有している。
【００３４】
次に、作用について説明する。
本発明に関する第３〜第５の実施の形態の建築気密構造では、気密性パッキン材３２の端部３２ａを凹部３１ｂに嵌合させることにより、気密性パッキン材３２を凹部３１ｂに取り付けることができる。このため、気密性パッキン材３２を凹部３１ｂに接着する必要がなく、気密性パッキン材３２の交換が容易である。本発明に関する第３〜第５の実施の形態の建築気密構造は、その他、前述の第１の実施の形態の建築気密構造と同様の作用を有する。
【００３５】
次に、本発明の実施の形態について説明する。
図４は、本発明の実施の形態を示している。
図４（Ｂ）に示すように、建築気密構造は、下側部材４１の上で２本の支持部材４２およびゴム状の気密性パッキン材４３を介在させて上側部材４４が支持されて構成されている。下側部材４１は、建物基礎から成り、建物全体を支持する。上側部材４４は、土台から成る。下側部材４１および上側部材４４には、細長い直方体状の一般の部材を用いることができる。
【００３６】
気密性パッキン材４３は、発泡ゴム等から成ってゴム弾性を有し、復元力を有する。図４（Ａ）に示すように、気密性パッキン材４３は、平板部４３ａと３本の脚部４３ｂとを有する。各脚部４３ｂは、それぞれ並列に等間隔で配置されて平板部４３ａに一体的に設けられている。各脚部４３ｂは、長さが同一である。これにより、気密性パッキン材４３は、断面がＥ字状の形状を有している。
【００３７】
各支持部材４２は、プラスチック、硬質ゴム等の気密性パッキン材４３より硬い材質から成る。各支持部材４２を免震用ゴムで製造した場合には、建物の免震化が確実となる。２本の支持部材４２は、各脚部４３ｂの間の２本の溝４３ｃに嵌合され、脚部４３ｂを挟んで間隔を置いて配置されている。各支持部材４２は、同一の形状を有し、図４（Ａ）に示すように、上側部材４４を載せない状態で厚さが各溝４３ｃの深さより薄くなっている。
【００３８】
気密性パッキン材４３は、平板部４３ａを上側部材４４の下面に沿わせて下側部材４１と上側部材４４との間に配置されている。気密性パッキン材４３は、図４（Ｂ）に示すように、上側部材４４を載せた状態で圧縮され、下側部材４１と上側部材４４とに密着している。この状態で、支持部材４２は、下面が下側部材４１の上に載って、上側部材４４を支持する。各支持部材４２の厚さは、上側部材４４が気密性パッキン材４３を挟んで各支持部材４２により支持されるよう、気密性パッキン材４３の脚部４３ｂが最大に圧縮可能な高さより厚く設定されている。
【００３９】
次に、作用について説明する。
図４に示す建築気密構造では、下側部材４１と上側部材４４との間にゴム状の気密性パッキン材４３を介在させているため、下側部材４１と上側部材４４との間で気密性、防振性および防音性を発揮し、下側部材４１と上側部材４４との間を空気や湿気が抜けるのを防止する。また、気密性パッキン材４３は、地震などによる揺れを吸収し、抑える。
【００４０】
建築気密構造では、支持部材４２が脚部４３ｂの間に嵌合された気密性パッキン材４３を下側部材４１の上に配置することにより、下側部材４１と上側部材４４との間にゴム状の気密性パッキン材４３を介在させるとともに、支持部材４２で上側部材４４を支持して気密性パッキン材４３に許容限度以上の荷重がかかるのを防ぐことができる。これにより、ゴム状の気密性パッキン材４３が復元力ないし弾性を失うのを抑制し、気密性、防振性および防音性を長期にわたって発揮することができる。
【００４１】
次に、本発明に関する第６〜第８の実施の形態について説明する。
図５（Ａ）〜（Ｃ）は、本発明に関する第６〜第８の実施の形態を示している。
本発明に関する第６〜第８の実施の形態の建築気密構造は、前述の本発明に関する第４の実施の形態の建築気密構造と同様の構成を有している。但し、本発明に関する第６〜第８の実施の形態の建築気密構造では、図５（Ａ）〜（Ｃ）に示すように、気密性パッキン材５１は平板状をなして下側部材の上面に配置されている。支持部材５２は、平板状をなして下側部材の上面に配置され、気密性パッキン材５１を側部から挟んでいる。各支持部材５２の厚さは、上側部材が気密性パッキン材５１を挟んで各支持部材５２により支持されるよう、気密性パッキン材５１が最大に圧縮可能な高さより厚く設定されている。
【００４２】
また、本発明に関する第７の実施の形態の建築気密構造では、図５（Ｂ）に示すように、下側部材の上に薄い板状の基盤材料５３が設けられている。気密性パッキン材５１および支持部材５２は、基盤材料５３の上に配置されている。
【００４３】
本発明に関する第８の実施の形態の建築気密構造では、図５（Ｃ）に示すように、下側部材の上に薄い板状の基盤材料５３が設けられている。２本の気密性パッキン材５１は、互いに間隔を置いて基盤材料５３の上に配置されている。支持部材５２は、基盤部材５３の上に配置されて、各気密性パッキン材５１を側部から挟んでいる。本発明に関する第６〜第８の実施の形態の建築気密構造は、前述の本発明に関する第５の実施の形態の建築気密構造と同様の作用を有する。
【００４４】
【発明の効果】
本発明に係る建築気密構造によれば、気密性パッキン材の少なくとも一部に許容限度以上の荷重がかかるのを防ぐことにより、長期にわたって防振性および防音性を発揮できる。
【図面の簡単な説明】
【図１】  本発明に関する第１の実施の形態の建築気密構造の（Ａ）上側部材を載せる前の状態を示す側面図、（Ｂ）上側部材を載せた状態を示す側面図である。
【図２】  本発明に関する第２の実施の形態の建築気密構造の（Ａ）上側部材を載せる前の状態を示す側面図、（Ｂ）上側部材を載せた状態を示す側面図である。
【図３】  本発明に関する（Ａ）第３の実施の形態の建築気密構造の要部を示す側面図、（Ｂ）第４の実施の形態の建築気密構造の要部を示す側面図、（Ｃ）第５の実施の形態の建築気密構造の要部を示す側面図である。
【図４】  本発明の実施の形態の建築気密構造の（Ａ）気密性パッキン材および支持部材を示す側面図、（Ｂ）気密性パッキン材および支持部材を下側部材と上側部材との間に介在させた状態を示す側面図である。
【図５】  本発明に関する（Ａ）第６の実施の形態の建築気密構造の気密性パッキン材および支持部材を示す側面図、（Ｂ）第７の実施の形態の建築気密構造の気密性パッキン材および支持部材を示す側面図、（Ｃ）第８の実施の形態の建築気密構造の気密性パッキン材および支持部材を示す側面図である。
【図６】  従来例の建築気密構造を示す分解斜視図である。
【図７】  従来例の建築気密構造の（Ａ）上側部材を載せる前の状態を示す正面図、（Ｂ）上側部材を載せる前の状態を示す側面図である。
【図８】  従来例の建築気密構造の（Ａ）上側部材を載せた状態を示す正面図、（Ｂ）上側部材を載せた状態を示す側面図である。
【符号の説明】
１１，２１，３１，４１  下側部材
１１ａ，２１ａ  支持部
１１ｂ，２１ｂ，３１ｂ  凹部
１２，２２，３２，４３  気密性パッキン材
１３，２３，４４  上側部材
４２，５２  支持部材
【図１】
0004733258.tif 000002
【図２】
0004733258.tif 000003
【図３】
0004733258.tif 000004
【図４】
0004733258.tif 000005
【図５】
0004733258.tif 000006
【図６】
0004733258.tif 000007
【図７】
0004733258.tif 000008
【図８】
0004733258.tif 000009